(57)【要約】【課題】作業者の負担を軽減するとともに、多品種少量生産に適した電線供給を可能にし、しかも電線を巻き戻す必要のない電線処理システムを提供する。【解決手段】第一切断刃を有する端子圧着装置２と、互いに異なる線種の電線が巻かれた複数の電線ドラム、及び複数の電線ドラムの中から一つを選択し、電線ドラムを所定の取出位置Ａまで移動させる駆動機構１１を有し、取出位置Ａの電線ドラムに巻かれた電線Ｌを端子圧着装置２に対して供給することを可能とする電線供給装置３と、取出位置Ａに配置された電線ドラムから延出された電線Ｌを、引張って繰出させるとともに、その電線Ｌの先端部分を端子圧着装置２に供給する電線送り装置４とを具備する。電線送り装置４には、繰出された電線を切断するための第二切断刃５３と、端子圧着装置２から送信される情報に基づいて第二切断刃５３を動作させる切断制御手段とが備えられている。【選択図】図１
2008027682.tif 000002
【特許請求の範囲】
【請求項１】
電線端末の切断または皮剥きを行うための第一切断刃を有するとともに、端子圧着等の端末加工処理を行う端末処理装置と、
互いに異なる線種の電線が巻かれた複数の電線ドラム、及び該複数の電線ドラムの中から一つの電線ドラムを選択し、該電線ドラムを所定の取出位置まで移動させるドラム移動手段を有し、前記取出位置の電線ドラムに巻かれた電線を前記端末処理装置に対して供給することを可能とする電線供給装置と、
前記取出位置に配置された前記電線ドラムと対向し、該電線ドラムから延出された電線を、引張って繰出させるとともに、該電線の先端部分を前記端末処理装置に供給する電線送り装置と
を具備し、
前記電線供給装置または前記電線送り装置のいずれか一方には、前記取出位置に対向して設けられ、繰出された電線を切断するための第二切断刃と、前記端末処理装置から送信される情報に基づいて前記第二切断刃を動作させる切断制御手段とが備えられている
ことを特徴とする電線処理システム。
【請求項２】
前記電線供給装置は、
供給装置本体に複数設けられ少なくとも一端側に挿入口を有する筒状の受箱部と、
夫々の前記挿入口を介して前記受箱部内に挿脱可能に収容されるケース部、電線が巻かれた前記電線ドラムを前記ケース部内で回動可能に支持するドラム支持部、及び、前記ケース部に設けられ前記電線ドラムに巻かれた電線を前記ケース部における所定の部位から一定方向に繰出させる電線ガイド部を有する複数のカセット式電線繰出し部とを有して構成され、
前記ドラム移動手段は、複数の前記受箱部の中から一つの受箱部を選択し、該受箱部を所定の取出位置まで移動させることを特徴とする請求項１に記載の電線処理システム。
【請求項３】
前記電線送り装置は、
前記電線ドラムから突出した電線を挟持した状態で互いに反対方向に回転させることにより、該電線を前記電線ドラムから繰出させる一対の送りローラと、
該送りローラによって繰出された電線を、前記端末処理装置に向って案内するガイド部材と
を備えることを特徴とする請求項１または請求項２に記載の電線処理システム。
【請求項４】
前記電線送り装置は、
前記送りローラを経て前記第二切断刃を通過した電線の長さを測長する繰出長さ測長手段と、
前記端末処理装置において生成される電線の必要長さを認識する必要長認識手段と
をさらに備え、
前記切断制御手段は、前記繰出長さ測長手段によって測長された電線の長さが、前記必要長認識手段によって認識された電線の前記必要長さに一致した際に、前記第二切断刃を動作させて電線を切断することを特徴とする請求項３に記載の電線処理システム。
【請求項５】
前記端末処理装置は、前記電線送り装置によって供給される電線の先端部分を受取るとともに、電線を挟持した状態で互いに反対方向に回転させることにより電線を処理領域に送り入れる一対の第二送りローラを備え、
前記電線送り装置の前記送りローラは、前記端末処理装置における前記第二送りローラの動作状態に拘らず、前記電線ドラムから電線を繰出させる
ことを特徴とする請求項４に記載の電線処理システム。
【請求項６】
前記電線送り装置は、
前記ガイド部材における出口側の端部付近を軸として前記ガイド部材を回動可能に支持する軸支部材と、
前記ガイド部材における入口側の端部を前記電線送り装置の前記送りローラと対向させ該送りローラから繰出される電線を真直ぐ直線状に案内する直線案内位置、及び、前記入口側の端部を前記送りローラから離間させ該送りローラから繰出される電線を、該送りローラと前記端末処理装置との間で撓ませる可撓案内位置、の間で前記ガイド部材を変位させる方向切替駆動源と、
前記電線ドラムから繰出された電線の先端が前記端末処理装置の前記第二送りローラに送られたことが検出されると、前記方向切替駆動源を制御し、前記ガイド部材を前記直線案内位置から前記可撓案内位置に変位させる案内方向切替制御手段と
をさらに備えることを特徴とする請求項５に記載の電線処理システム。
【発明の詳細な説明】
【技術分野】
【０００１】
本発明は、電線処理システムに関するものであり、特に、端子圧着装置等、電線の端末加工処理を行う端末処理装置と、その端末処理装置に対して多数の種類の電線を供給する電線供給装置を備える電線処理システムに関するものである。
【背景技術】
【０００２】
端末処理装置として、電線の端部の被覆材を除去し、その端部に端子を圧着するとともに、電線を所定の長さに切断する端子圧着装置が知られている。この端子圧着装置の中には、電線の先端部と後端部の両方に端子を圧着することのできるものもある。
【０００３】
具体的には、図８に示すように、端子圧着装置１０１は、電線癖取装置１０２と、電線Ｌの先端側及び後端側に端子を圧着させるための第一圧着機構１０３，第二圧着機構１０４と、電線Ｌを切断するとともに電線Ｌの端部の被覆材を除去する切断機構１０５と、電線Ｌの先端側を第一圧着機構１０３に送り込む電線送込み機構１０６と、切断後の電線Ｌを保持し電線Ｌの後端側を第二圧着機構１０４に送り込むチャック機構（図示しない）と、端子Ｔを圧着し終えた電線Ｌを蓄えた後に所定数の電線Ｌを纏めて外部へ排出する排出装置（図示しない）とを備えている。
【０００４】
第一圧着機構１０３と第二圧着機構１０４とは基本的な構成が等しく、端子を圧着するためのアプリケータ１０９がフレーム部材１１０に取付けられている。つまり、フレーム部材１１０の側面には、切欠き１１１が形成され、その切欠き１１１内にアプリケータ１０９が取付けられている。詳しくは、切欠き１１１の上方にはアプリケータ１０９の上側ユニット１１２が、また、切欠き１１１の下方には、アプリケータ１０９の下側ユニット１１３が夫々取付けられている。
【０００５】
また、電線送込み機構１０６は、電線取込みガイド１５７、電線Ｌの長さを測長するエンコーダ１５８、及び、所定距離離間して配置される一対のローラ１５９等から構成されている。（特許文献１参照）。
【０００６】
一方、端子圧着装置１０１に電線を供給する方法として、例えば互いに異なる電線が巻かれた複数の電線ドラムを備え、複数の電線ドラムの中から加工処理する電線を、手作業で端子圧着装置１０１に供給することが一般的に行われている。つまり、電線ドラムに巻かれた電線の先端を、端子圧着装置１０１の電線癖取装置１０２を通して電線送込み機構１０６にセットする方法であり、その後は、電線送込み機構１０６に設けられた一対のローラ１５９の動力（引張操作）によって、電線ドラムから電線を繰出させることができる。
【０００７】
ところで、電気製品には配線用の被覆電線が数多く使用されている。これらの被覆電線 は、銅等で形成された芯線と、塩化ビニール等の樹脂で形成され芯線を絶縁するための被覆とから構成され、配線場所、用途、消費電力、及び接続方法等の使用条件に適するように、その全長、芯線の直径、及び芯線の露出長さ等が夫々設定される。
【０００８】
また、複数の電気部品を電気的に接続するために、複数の電線を束ねたワイヤーハーネスが使用されることもある。そして、このワイヤーハーネスでは複数の色（例えば１３色）の被覆電線が用いられている。
【０００９】
なお、近年、電気製品の多品種化に伴い、それに使用される被覆電線の種類も極めて多様になってきており、しかも在庫をもたずに適切なタイミングで適切な分だけ納品できるように少量生産が一般的に行われている。特に車両に用いられるワイヤーハーネスでは、複数の色の被覆電線を単品生産することも要望されている。
【００１０】
【特許文献１】特開２００５−１６６３９９号
【発明の開示】
【発明が解決しようとする課題】
【００１１】
しかし、従来の電線供給方法では、電線の種類が変わるごとに電線を手作業で掛け換える作業が必要となることから、端子圧着装置の稼動率が大幅に低下していた。具体的には、端子圧着装置１０１の加工処理能力が３０００本／時間であっても、電線の掛け換えに１分間要する場合には、１時間当りの生産量は６０本以下となっていた。つまり、多品種少量生産の場合、生産性が極めて悪くなり、ひいては製造コストの増加、及び作業者の負担の増加が問題となっていた。
【００１２】
また、一般の電線ドラムは比較的大型であることから、それらを数多く並べるには極めて広いスペースが必要となり、設備の導入が困難となっていた。また、電線ドラムに巻かれている電線が残り少なくなった場合には、新たな電線ドラムと交換しなければならないが、この際、大きな電線ドラムを現場で取外したりセットしたりする作業が必要となり、稼動率の低下、及び作業者の負担の増加が助長されていた。
【００１３】
また、現場に十分な配設スペースがない場合には、一つまたは頻繁に使用する電線ドラムのみを端子圧着装置の近傍に配置し、残り全ての電線ドラムを倉庫や収納庫で保管しておくことも一般的に行われているが、これによれば、保管された電線ドラムを使用する際に、倉庫等から端子圧着装置の近傍まで電線ドラムを搬送しなければならず、電線の掛け換えが完了するまでに一層長い時間を要していた。
【００１４】
なお、収納庫に保管された複数の電線ドラムの中から加工処理する電線ドラムを適宜選択し、その電線ドラムを端子圧着装置まで自動で搬送しセットするシステム、所謂、自動搬送システムを構築することも考えられるが、これのようなシステムは極めて大掛かりな設備となり、膨大な費用が必要となる。
【００１５】
また、端子圧着装置での加工処理が終了した場合、または端子圧着装置で使用される電線を交換する場合には、端子圧着装置の切断機構１０５によって電線Ｌを切断することとなるが、この際、電線ドラムから既に繰出されている電線Ｌを電線ドラムに巻き戻す等の処理が必要となり、作業者の負担が一層大きくなっていた。
【００１６】
そこで、本発明は、上記の実状に鑑み、作業者の負担を軽減するとともに、多品種少量生産に適した電線供給を可能にし、しかも電線を巻き戻す必要のない電線処理システムの提供を課題とする。
【課題を解決するための手段】
【００１７】
本発明にかかる電線処理システムは、「電線端末の切断または皮剥きを行うための第一切断刃を有するとともに、端子圧着等の端末加工処理を行う端末処理装置と、
互いに異なる線種の電線が巻かれた複数の電線ドラム、及び該複数の電線ドラムの中から一つの電線ドラムを選択し、該電線ドラムを所定の取出位置まで移動させるドラム移動手段を有し、前記取出位置の電線ドラムに巻かれた電線を前記端末処理装置に対して供給することを可能とする電線供給装置と、
前記取出位置に配置された前記電線ドラムと対向し、該電線ドラムから延出された電線を、引張って繰出させるとともに、該電線の先端部分を前記端末処理装置に供給する電線送り装置と
を具備し、
前記電線供給装置または前記電線送り装置のいずれか一方には、前記取出位置に対向して設けられ、繰出された電線を切断するための第二切断刃と、前記端末処理装置から送信される情報に基づいて前記第二切断刃を動作させる切断制御手段とが備えられている
ことを特徴とする」ものである。
【００１８】
ここで、「端末処理装置」としては電線の端部に端子を圧着する端子圧着装置を例示することができる。「ドラム移動手段」の構成としては特に限定されるものではないが、例えば、複数の電線ドラムを所定の平面に沿ってループ状に配列し、そのループ状を維持したまま平面上で回転させる無端のチェーンと、そのチェーンに回転力を付与するモータとから構成することができる。また、「電線送り装置」の構成も限定されるものではないが、例えば、回転することにより電線を挟持して送る一対の送りローラと、その送りローラによって送られる電線を一定方向に案内する筒状の案内部材とから構成することができる。また、電線の先端部分を挟持可能なチャック部と、端末処理装置と供給装置本体との間に配設されチャック部をスライド可能に支持する支持杆と、その支持杆に沿ってチャック部を摺動させる駆動源とから構成するようにしてもよい。
【００１９】
本発明の電線処理システムによれば、電線ドラムが複数個設けられているため、夫々の電線ドラムから互いに異なる種類の電線を繰出せることが可能になる。また、電線供給装置には、ドラム移動手段が設けられており、このドラム移動手段を動作させることにより、複数の電線ドラムの中から選択された一つの電線ドラムを所定の取出位置まで移動させることが可能になる。
【００２０】
また、取出位置に対向するように電線送り装置が設けられており、電線送り装置は、取出位置の電線ドラムから電線を引張って繰出させるとともに、その電線の先端部分を端末処理装置に受渡す。
【００２１】
このように、選択された一つの電線ドラムを所定の取出位置に移動させる動作、及びその電線ドラムから延出された電線を端末処理装置に受渡す動作、を機械的に行うため、一連の作業を自動化することができ、作業者の負担を軽減するとともに、加工すべき電線を間違いなく且つ速やかに供給することが可能となる。
【００２２】
また、電線供給装置または電線送り装置のいずれか一方には、取出位置に対向して配置された第二切断刃が備えられており、端末処理装置から送信される情報に基づいて動作するようになっている。つまり、端子圧着装置で使用される電線を交換する際、電線ドラムの近傍に配設された第二切断刃によって電線が切断される。このため、繰出された電線を根元側で切断することができ、電線を電線ドラムに巻き戻す等の処理が不要となる。すなわち、電線供給装置における構成を簡素化することが可能になる。
【００２３】
また、本発明の電線処理システムにおいて、「前記電線供給装置は、
供給装置本体に複数設けられ少なくとも一端側に挿入口を有する筒状の受箱部と、
夫々の前記挿入口を介して前記受箱部内に挿脱可能に収容されるケース部、電線が巻かれた前記電線ドラムを前記ケース部内で回動可能に支持するドラム支持部、及び、前記ケース部に設けられ前記電線ドラムに巻かれた電線を前記ケース部における所定の部位から一定方向に繰出させる電線ガイド部を有する複数のカセット式電線繰出し部とを有して構成され、
前記ドラム移動手段は、複数の前記受箱部の中から一つの受箱部を選択し、該受箱部を所定の取出位置まで移動させる」ように構成してもよい。
【００２４】
ここで、「カセット式電線繰出し部」を「受箱部」に収容する際、「電線ガイド部」を、受箱部の一端側（すなわち挿入口側）に位置させるようにしてもよく、受箱部の他端側に位置させるようにしてもよい。但し、電線ガイド部を受箱部の他端側に位置させる場合には、受箱部の他端側も開放させるか、あるいは他端側の閉塞面に電線を通すための貫通孔を穿設する必要がある。
【００２５】
本発明の電線処理システムによれば、電線ドラムがドラム支持部によって支持されると、電線ドラムをケース部内で回動させることが可能になる。電線ドラムから延出された電線は、電線ガイド部を通ってケース部の外部へ配線されているため、ケース部の外部において、ケース部から突出した電線の先端部分を引張れば、電線ドラムに巻かれた電線をケース部外へ繰出させることが可能になる。また、このケース部は、カセット式電線繰出し部を構成しており、供給装置本体に設けられた筒状の受箱部内に収容させることが可能となっている。そして、カセット式電線繰出し部が受箱部内に収容されると、その受箱部から電線を繰出すことが可能になる。特に、供給装置本体には複数の受箱部が設けられているため、供給装置本体から互いに異なる種類の電線を随時供給することが可能になる。
【００２６】
特に、カセット式であるため、供給装置本体に電線ドラムを装着する作業が極めて容易になる。また、決められた位置から一定の方向に電線が繰出されるため、電線送り装置によって電線を確実に把持することができ、円滑な受渡しが可能になる。さらに、電線ドラムを交換する際には、受箱部からカセット式電線繰出し部を取出し、そのケース部内に収容された電線ドラムを交換することとなるため、安全な場所での交換作業が可能になるとともに、電線ドラムの交換作業中であっても、他の電線ドラムが収容された受箱部から電線を供給し続けることが可能になる。また、複数のカセット式電線繰出し部を規則正しく配列することができ、しかも比較的簡易な構造で支持できるため、狭いスペースでも数多くの電線ドラムを保持することが可能となり、ひいては電線供給装置の小型化が可能になる。
【００２７】
また、本発明の電線処理システムにおいて、「前記電線送り装置は、
前記電線ドラムから突出した電線を挟持した状態で互いに反対方向に回転させることにより、該電線を前記電線ドラムから繰出させる一対の送りローラと、
該送りローラによって繰出された電線を、前記端末処理装置に向って案内するガイド部材と
を備える」ようにしてもよい。
【００２８】
本発明の電線処理システムによれば、電線ドラムから突出した電線が一対の送りローラの間に挟持され、一対の送りローラを互いに反対方向に回転させることにより、電線が電線ドラムから繰出される。繰出された電線は、ガイド部材を通過することにより、端末処理装置に向って案内される。このため、比較的簡単な構成で電線の先端を端末処理装置に受け渡すことが可能になる。
【００２９】
また、本発明の電線処理システムにおいて、「前記電線送り装置は、
前記送りローラを経て前記第二切断刃を通過した電線の長さを測長する繰出長さ測長手段と、
前記端末処理装置において生成される電線の必要長さを認識する必要長認識手段と
をさらに備え、
前記切断制御手段は、前記繰出長さ測長手段によって測長された電線の長さが、前記必要長認識手段によって認識された電線の前記必要長さに一致した際に、前記第二切断刃を動作させて電線を切断する」ことが好ましい。
【００３０】
ところで、電線ドラムを交換する際には、第二切断刃によって電線を切断することとなるが、端末処理装置において一連の処理が終わってから、すなわち所定長さの電線が生成された後に電線を切断するものでは、端末処理装置と電線供給装置との間に繰出された電線が端尺として残ってしまい、材料に無駄が生じてしまう。特に、多品種少量生産の場合には、端尺の電線が数多く発生することから、材料費が大幅に増加することが懸念される。
【００３１】
これに対し、本発明における電線送り装置では、端末処理装置において生成される電線の必要長さを認識するとともに、送りローラを回転することによって繰出される電線の長さ、特に第二切断刃を通過した電線の長さを測長する。そして、測長された電線の長さが、認識している電線の必要長さに一致した際に、第二切断刃を動作させて電線を切断する。このため、既に繰出されている電線が端末処理装置において残らず使用されることになり、端尺の電線が発生することを回避することが可能になる。
【００３２】
また、本発明の電線処理システムにおいて、「前記端末処理装置は、前記電線送り装置によって供給される電線の先端部分を受取るとともに、電線を挟持した状態で互いに反対方向に回転させることにより電線を処理領域に送り入れる一対の第二送りローラを備え、
前記電線送り装置の前記送りローラは、前記端末処理装置における前記第二送りローラの動作状態に拘らず、前記電線ドラムから電線を繰出させる」構成とすることもできる。
【００３３】
本発明の電線処理システムによれば、端末処理装置に第二送りローラが備えられており、第二送りローラは、電線送り装置によって供給された電線の先端部分を受取ると、その電線を挟持した状態で互いに反対方向に回転させることにより電線を処理領域に送込む。ところで、このような第二送りローラを備えた端末処理装置においては、一度電線の先端を受け取れば、電線送り装置による繰出し動作が停止しても電線を引張ることができ、ひいては電線を引続き繰出させることが可能になる。つまり、電線送り装置における送りローラの駆動を停止させることが可能となる。しかし、本発明では、第二送りローラに電線を受け渡した後も電線送り装置による電線の繰出し動作を継続している。特に、電線送り装置における送りローラは、端末処理装置における第二送りローラの動作状態に拘らず電線ドラムから電線を繰出させるため、例えば端末処理装置において電線の端部の被覆材を除去（すなわち皮剥）する際等、電線を逆方向（電線供給装置側）に送る場合、あるいは電線の端部に端子を圧着する際等、電線の送込みを一端中断した状態で端末処理加工を実行する場合でも、電線送り装置の送りローラを一定方向に回転させることにより、電線ドラムから電線を連続的に繰出させる。したがって、例えば電線を繰出させる送りローラの搬送速度と、電線を処理領域に送り込む第二送りローラの搬送速度とが、同じ速度に設定されていても、端末処理装置において電線の加工が終了する時（すなわち所定の加工がなされた所定長さの電線が生成される時）よりも早く必要長さの電線を繰出すことが可能になる。換言すれば、電線の加工が終了する前に、第二切断刃によって電線を切断することが可能になり、さらにそれらの時間差が大きい場合には、端末処理装置において電線を加工している最中でも、電線供給装置においては次に加工する電線を繰出すための準備、具体的には選択された電線ドラムを所定の取出位置に移動させる動作を行わせることが可能になる。そして、この場合には、段取り時間が大幅に削減され、端末処理装置における稼働率を一層高めることが可能になる。
【００３４】
ところで、上記発明の電線処理システムでは、電線送り装置の送りローラが、端末処理装置における第二送りローラの動作状態に拘らず、電線ドラムから電線を繰出させるため、例えば、端末処理装置において電線の先端側の動きを制動させた状態、または逆向きに搬送させた状態で、電線の根元側を端末処理装置に向って押送する場合もあり得る。ところが上記の発明では、繰出された電線を端末処理装置側に案内するためのガイド部材が設けられ、これによって電線の変形が規制されているため、電線を真直ぐにしか送ることができず、この結果、電線送り装置における送りローラの動作が停止し、電線の繰出し動作を継続させることが困難となる虞がある。
【００３５】
そこで、上記の構成を採用する場合には、以下の構成を用いることが好ましい。すなわち、「前記電線送り装置は、
前記ガイド部材における出口側の端部付近を軸として前記ガイド部材を回動可能に支持する軸支部材と、
前記ガイド部材における入口側の端部を前記電線送り装置の前記送りローラと対向させ該送りローラから繰出される電線を真直ぐ直線状に案内する直線案内位置、及び、前記入口側の端部を前記送りローラから離間させ該送りローラから繰出される電線を、該送りローラと前記端末処理装置との間で撓ませる可撓案内位置、の間で前記ガイド部材を変位させる方向切替駆動源と、
前記電線ドラムから繰出された電線の先端が前記端末処理装置の前記第二送りローラに送られたことが検出されると、前記方向切替駆動源を制御し、前記ガイド部材を前記直線案内位置から前記可撓案内位置に変位させる案内方向切替制御手段と
をさらに備える」構成である。
【００３６】
本発明の電線処理システムによれば、電線ドラムから繰出された電線の先端が端末処理装置の第二送りローラに送られると、方向切替駆動源が駆動され、ガイド部材は直線案内位置から可撓案内位置に変位する。直線案内位置では、ガイド部材における入口側の端部が電線送り装置の送りローラと対向するため、送りローラから繰出される電線を真直ぐ直線状に案内することが可能になる。つまり、少なくとも電線ドラムから繰出された電線の先端が端末処理装置の第二送りローラに到達するまでは、ガイド部材によって電線を真直ぐ案内する。これによれば、電線の先端を一対の第二送りローラの間に確実に挿入させることが可能になるとともに、繰出された電線を滑らかに案内することができる。一方、可撓案内位置では、ガイド部材における入口側の端部が電線送り装置の送りローラから離れ、送りローラから繰出される電線を、送りローラと端末処理装置との間で撓ませることが可能になる。つまり、送りローラと端末処理装置との間において繰出された電線を余剰させることが可能になる。換言すれば、端末処理装置の第二送りローラが停止中または逆回転している場合であっても、電線送り装置の送りローラによって電線を継続して繰出させることが可能になり、必要な長さの電線を速やかに繰出させることが可能になる。
【発明の効果】
【００３７】
このように、本発明の電線処理システムによれば、作業者の負担を軽減するとともに、多品種少量生産に適した電線の供給を行うことができる。また、繰出された電線を根元側で切断することにより電線の巻き戻し処理を省き、電線供給装置における構成を簡素化することができる。
【発明を実施するための最良の形態】
【００３８】
以下、本発明の一実施形態である電線処理システムについて、図１乃至図７に基づき説明する。図１は本実施形態の電線処理システムの概略構成を示す模式図であり、図２は電線処理システムにおける電線供給装置の構成を示す平面図であり、図３は電線供給装置における受箱部の構成を示す斜視図であり、図４は受箱部及びカセット式電線繰出し部の構成を示す分解斜視図であり、図５はカセット式電線繰出し部の構成を示す平面図であり、図６は電線送り装置における要部の構成を説明するための概念図であり、図７は電線供給制御に関する機能的構成を示すブロック図である。
【００３９】
図１に示すように、電線処理システム１は、電線の端部の被覆材を除去し、その端部に端子を圧着するとともに、電線を所定の長さに切断する端子圧着装置２と、端子圧着装置２に対して、複数の種類の電線を供給することを可能にする電線供給装置３と、電線供給装置３から電線を繰出させるとともに電線の先端部分を端子圧着装置２に受渡す電線送り装置４と、を具備して構成されている。ここで、端子圧着装置２が本発明の端末処理装置に相当する。
【００４０】
端子圧着装置２としては、図８に基づいて先に説明した従来の端子圧着装置１０１と略同様の構成が採用され、加工中の電線Ｌの向きを変えることなく、直線状に電線Ｌを送りながら加工することが可能になっている。すなわち、図１に示すように、端子圧着装置２は、電線Ｌの先端側に端子を圧着させるための第一圧着機構１０３と、電線Ｌの後端側に端子を圧着させるための第二圧着機構１０４と、電線Ｌの端部の被覆材を除去する切断刃を有する第一切断機構１０５ａと、電線Ｌを切断する切断刃を有する第二切断機構１０５ｂと、電線Ｌの先端側を第一圧着機構１０３に送り込む電線送込み機構１０６とを具備している。また、従来の端子圧着装置１０１に設けられていない新たな構成として、第二圧着機構１０４の下流側に配設され、電線Ｌを挟持し回転によって送ることが可能な一対の送りローラ１１０が備えられている。
【００４１】
電線送込み機構１０６は、電線取込みガイド１５７、電線Ｌの長さを測長するエンコーダ１５８、所定距離離間して配置される一対のローラ１５９、及び電線Ｌの先端が通過したことを検出する先端検出センサ１６０等から構成されている。なお、一対のローラ１５９は、互いに接近および離反するように移動可能とされ、また、ローラ１５９は、ローラ駆動手段（図示しない）により回転駆動され、回転方向及び回転数を制御することにより、電線Ｌを任意の長さ送るとともに、エンコーダ１５８によるフィードバック制御も行われている。ここで、ローラ１５９が本発明の第二送りローラに相当する。
【００４２】
なお、図８に示す従来の端子圧着装置１０１では、電線の曲り癖等を矯正する電線癖取装置１０２が備えられていたが、本例の端子圧着装置２には電線癖取装置が設けられておらず、電線供給装置３内において癖取りが行われるようになっている（詳細は後述する）。
【００４３】
電線供給装置３は、図１及び図２に示すように、板状のベース板１０の上に載置された複数の受箱部１５と、これらの受箱部１５を可動させる駆動機構１１とを具備して構成されている。駆動機構１１は、ベース板１０の平面に沿ってループ状に配列された複数の受箱部１５を、ループ状を維持したまま旋回させるとともに、複数の受箱部１５の中から選択された一つの受箱部１５を所定の取出位置、例えば、図１においては「Ａ」位置まで移動させるものである。詳しく説明すると、電線供給装置３は、夫々の受箱部１５における挿入口２３（詳細は後述する）が所定の回転軸心を中心として遠心方向を向くように、複数の受箱部１５をベース板１０（水平面）に沿って放射状に配列しており、選択された所定の受箱部１５が取出位置Ａに位置するように、放射状を維持したまま水平面上で回転させる構成となっている。具体的に、駆動機構１１は、水平面に沿って配設され四つのスプロケット１２と、それらのスプロケット１２に巻き掛けられた無端のチェーン１３と、いずれか一つのスプロケット１２を介してチェーン１３に回転力を付与するモータ１７とを有している。なお、モータ１７の回転軸１８と一つのスプロケット１２とが無端のベルト１９によって連結されており、モータ１７の回転力がベルト１９を介してチェーン１３に伝達されるようになっている。ここで、駆動機構１１が本発明のドラム移動手段に相当する。
【００４４】
図３及び図４に示すように、受箱部１５は、略直方体形状を呈する筒状の部材であり、一端側の側面にはカセット式電線繰出し部３０を挿入させるための挿入口２３が設けられている。また、受箱部１５の挿入口２３側には、固定部２４ａを支点として外方に弾性変形可能な係止部材２４が設けられており、弾性力に抗して係止部材２４を手で外方に撓ませることによりカセット式電線繰出し部３０の挿脱が可能となり、カセット式電線繰出し部３０を受箱部１５内に挿入した後、係止部材２４から手を離すと、係止部材２４は弾性力によって元の状態に戻り、先端の爪部２４ａによって受箱部１５からカセット式電線繰出し部３０（以下、単に「カセット部３０」と称す）が脱離することが防止されるようになっている。
【００４５】
また、受箱部１５の内底面には、カセット部３０の挿入位置を規制するストッパー２５が突設されている。このストッパー２５は、略Ｇ字形の部材であり、端部側２５ａのみが固定され、一端が切欠かれた中央側の片部２５ｂは挿脱方向に対して弾性変形可能となっている。つまり、受箱部１５内にカセット部３０が挿入されると、その端部が片部２５ｂに当接し、片部２５ｂを弾性変形させた状態、すなわちカセット部３０を挿入口２３側に向って押圧した状態となる。なお、この際、カセット部３０の先端は係止部材２４によって係止されるため、受箱部１５が挿入口２３から飛び出すことはなく、カセット部３０の先端が挿入口２３に一致した状態で保持される。一方、解除操作によって係止部材２４が弾性変形すると、係止部材２４の係止状態が解消され、カセット部３０はストッパー２５における片部２５ｂの弾性力によって挿入口２３から押し出される。これにより、カセット部３０を容易に引き出しことが可能になる。
【００４６】
また、受箱部１５の底面には、複数のローラ（図示しない）が転動可能に設けられており、複数の受箱部１５をベース板１０上で滑らかに移動させることが可能となっている。
【００４７】
一方、カセット部３０は、図４及び図５に示すように、底板３１とその両側から立設された一対の側面板３２とを有する断面略コ字形のケース部３３と、一対の側面板３２の上面に架け渡され、電線Ｌが巻かれた電線ドラム３６を回動可能に支持するドラム支持部３８とを具備して構成されている。なお、電線ドラム３６の大きさは特に限定されるものではないが、本例では、直径が約１５〜２０ｃｍで、幅が約５〜１０ｃｍである比較的小型のドラムが用いられている。
【００４８】
また、図５に示すように、カセット部３０は、電線ドラム３６に圧接し電線ドラム３６の回転を制動する制動部材３９と、電線Ｌを繰出す際、電線ドラム３６に対する制動部材３９の圧接状態を解除する制動解除機構４０とを具備している。具体的には、制動部材３９は、電線ドラム３６に圧接し電線ドラム３６との間で摩擦力を発生させる圧接部４８を備えている。圧接部４８は、全体的に逆Ｕ字形の形状を呈した板バネ状の部材からなり、一端側が取付部材４７を介して底板３１に固定され、他端側が側面板３２に沿って延出された操作杆４６に連結されている。操作杆４６は、長手方向に摺動可能な状態で支持されており、圧接部４８が電線ドラム３６に当接する位置（制動位置）と、電線ドラム３６から離れる位置（解除位置）との間でスライドさせることが可能になっている。また、一定方向（圧接部４８が電線ドラム３６に圧接する方向）に付勢する弾性体（図示しない）が取付けられている。
【００４９】
制動解除機構４０は、操作杆４６上で回動可能に支持された可動ローラ５１から構成されている。そして、電線ドラム３６から延出された電線Ｌは、可動ローラ５１を経由してガイドローラ４１に掛けられているため、電線Ｌをカセット部３０から繰出す際、電線Ｌに引張り力が作用すると、可動ローラ５１には電線ドラム３６側に向う力が作用し、その力によって操作杆４６は、弾性体の弾性力に抗して変位することとなる。つまり、電線Ｌを繰出す際の引張り力が所定量よりも大きくなると、操作杆４６が変位して圧接部４８によるロック状態が解除される。換言すれば、電線Ｌの繰出し操作が行われるまでは、制動状態が維持され電線ドラム３６の回転が防止されるが、電線Ｌの繰出し操作が行われると、制動状態が解除され電線ドラム３６の回転負荷が軽くなる。
【００５０】
また、カセット部３０には、ケース部３３内に、ガイドローラ４１と癖取り部４２とが設けられている。癖取り部４２は複数のローラを組合せてなり、夫々のローラ間で張力を作用させることにより、電線Ｌのねじり癖や曲がり癖を矯正している。また、ケース部３３には、電線ドラム３６に巻かれた電線Ｌをケース部３３の先端部分から一定方向に繰出させる電線ガイド部４３が設けられている。この電線ガイド部４３は円錐筒状であり、先端から真直ぐに電線Ｌを突出させることが可能となっている。
【００５１】
さらに、カセット部３０におけるケース部３３の先端側（図５では上端側）には、カセット部３０を持ち運ぶ際に把持される円柱状の把持部５５が設けられ、把持部５５の表面には、夫々のカセット部３０に付与された識別番号を記憶したバーコード５６が貼着されている。このバーコード５６に記憶された識別番号は、電線Ｌの種別に関する情報、具体的には、夫々の電線ドラム３６に巻かれた電線の色、電線の径、及び被覆材の材質と、対応付けられており、後述する情報読出制御手段８６（具体的にはバーコードリーダー）によって識別番号を読出すことにより、電線Ｌの種別に関する情報を認識することが可能となっている。なお、バーコード５６の代りにＩＣチップを設け、電線Ｌの種別に関する情報を書込み及び読出し可能に記憶させるようにしてもよい。なお、ＩＣチップでは、高周波などの電波を受信すると、その電波を電気に変換して蓄え、その電力が所定量に達すると、ＩＣチップの記憶部に情報を書込んだり、情報を発信したりすることが可能になる。
【００５２】
一方、図１に示すように、電線送り装置４は、送り機構本体６０とガイドユニット６１とを具備して構成されている。送り機構本体６０は、所定の取出位置Ａとガイドユニット６１との間に配置されるとともに、矢印Ｙの方向に摺動可能に支持された可動ベース板６２と、可動ベース板６２を駆動させる動力源（図示しない）と、可動ベース板６２上で鉛直方向の軸を中心として回転する一対の送りローラ６３とを備えている。なお、一対の送りローラ６３は、所定距離離間して配置され、電線Ｌを挟持しながら繰出させるものである。また、一対の送りローラ６３は、互いに接近および離反するように移動可能とされ、離反させることにより一対の送りローラ６３の間に電線Ｌを挿脱させることが可能になり、接近させて回転させることにより電線Ｌを繰出させることが可能になる。
【００５３】
また、可動ベース板６２には、一対の第二切断刃５３が配設されており、繰出された電線Ｌを、端子圧着装置２から送信された指令に基づいて切断するようになっている。これによれば、電線供給装置３から繰出された電線Ｌを根元側である電線供給装置３内で切断することにより、電線Ｌを交換する場合でも、既に繰出されている電線Ｌを電線ドラム３６に巻き戻す等の処理が不要となり、カセット部３０内での構成を簡素化することが可能である。
【００５４】
また、可動ベース板６２には、電線Ｌの先端位置を検出する先端検出センサ６４が設けられており、この先端検出センサ６４で電線Ｌが検出された時点を基準として、繰出される電線Ｌが測長されるようになっている（詳細は後述する）。
【００５５】
さらに、可動ベース板６２の先端面には、取出位置Ａのカセット部３０に向って突出した突起部が形成されており、その先端部分に位置決めローラ６５が回転可能に支持されている。この位置決めローラ６５は、可動ベース板６２をカセット部３０側に摺動させた際に、ケース部３３の底板３１に形成された略三角形状の切欠５７（図５参照）内に挿入されるものであり、取出位置Ａにおけるカセット部３０を、位置決めローラ６５を基準とした正規の位置までスライドさせることにより、カセット部３０から突出する電線Ｌを、一対の送りローラ６３に対向させることが可能になる。なお、切欠５７に位置決めローラ６５が挿入された状態では、受箱部１５の位置も固定されることから、位置決めローラ６５は受箱部１５の回転止めとしても機能している。
【００５６】
図６に示すように、ガイドユニット６１は、送り機構本体６０の送りローラ６３によって繰出される電線Ｌを、端子圧着装置２に案内するものである。具体的には、一対の側壁の間に電線Ｌが通過するスペースを有する案内箱８７と、案内箱８７の上部に固定され電線Ｌの送り方向に延びる上側案内部材８８と、上側案内部材８８の下方に配置され上側案内部材８８と平行に延びる下側案内部材８９とを具備して構成されている。特に、下側案内部材８９における出口側（端子圧着装置２側）の端部付近は、軸支部材９０によって回動可能に支持されており、実線で示す直線案内位置と二点鎖線で示す可撓案内位置との間で変位するように回動駆動源９８（図７参照）に連結されている。ここで、直線案内位置とは、下側案内部材８９における入口側（送り機構本体６０側）の端部を送り機構本体６０の送りローラ６３に対向させた位置であり、この位置に変位すると、送りローラ６３から繰出される電線Ｌを真直ぐ直線状に案内することが可能になる。一方、可撓案内位置とは、下側案内部材８９における入口側の端部を垂下させ送りローラ６３から離間させる位置であり、この位置に変位すると、送りローラ６３から繰出される電線Ｌを、送りローラ６３と端子圧着装置２との間で撓ませることが可能になる。つまり、送りローラ６３と下側案内部材８９との間において、繰出された電線Ｌを余剰させることが可能になる。ここで、下側案内部材８９が本発明のガイド部材に相当し、回動駆動源９８が本発明の方向切替駆動源に相当する。
【００５７】
次に、電線Ｌの供給制御に関する機能的構成、及びその作用を、図７に基づき説明する。なお、これらの機能的構成は、中央演算装置としてのＣＰＵ、読み出し専用メモリとしてのＲＯＭ、読み書き可能メモリとしてのＲＡＭ等により実現されている。端子圧着装置２には、電線ドラム選択手段７０が設けられており、加工処理する電線Ｌに対応した電線ドラムを、複数の電線ドラム３６の中から選択する。具体的には、夫々の受箱部１５には予め番号が付与されているため、各受箱部１５の番号を特定することで、一つの電線ドラム３６を選択する。
【００５８】
電線ドラム選択手段７０によって選択された受箱部１５の番号は、送受信制御手段７１によって電線供給装置３に送信される。すると、電線供給装置３では、その番号が送受信制御手段８３によって受信され、電線供給制御手段８４に送られる。電線供給制御手段８４は、回転位置制御手段８５によってモータ１７を駆動し、電線ドラム選択手段７０によって特定された受箱部１５が所定の取出位置に位置するように制御する。なお、モータ１７は正転及び反転が可能であり、現在取出位置に位置する受箱部１５と、選択された受箱部１５との位置関係を基に回転方向を決定する。すなわち、回転角度が少なくなるように回転方向を決定する。なお、各受箱部１５の位置はモータ１７の回転量を検出するエンコーダ（図示しない）によって認識されるようになっている。
【００５９】
また、電線供給装置３には、カセット部３０のケース部３３に取付けられたバーコード５６から識別番号を読出す情報読出手段８６（バーコードリーダを有する）が設けられており、取出位置の受箱部１５に収容されている電線ドラム（または電線）に関しての情報（具体的には電線の色、電線の径、及び被覆材の材質、さらには電線ドラム３６に巻かれた電線Ｌの初期長さ）を、バーコード５６に記録された識別番号と、その識別番号に対応付けて予め記憶されている情報とを基に取得する。この情報は送受信制御手段８３を介して端子圧着装置２に送信され、端子圧着装置２に設けられた電線表示手段７２によってディスプレイに表示される。なお、電線ドラム３６に関する情報は、電線ドラム３６に電線が巻かれる毎に、識別番号と対応づけて記憶させるようにしてもよいが、電線Ｌの初期長さのみが毎回変化し、その他の情報が一定の場合には（すなわち、夫々のカセット部３０に収容される電線Ｌの種類が変化しない場合には）、電線Ｌの初期長さに関する情報のみを更新するようにしてもよい。
【００６０】
また、端子圧着装置２には、情報読出手段８６によって読出された電線Ｌの初期長さを記憶する初期長記憶手段７４と、端末加工処理された夫々の電線Ｌの長さ（累計）を個別に測長する電線測長手段７５と、初期長記憶手段７４に記憶された電線Ｌの初期長さ、及び電線測長手段７５によって測長された夫々の電線Ｌの長さに基づいて、夫々の電線ドラム３６に巻かれている電線Ｌの残り長さを算出する残長算出手段７６とを備えている。つまり、電線Ｌの種類毎に、元の長さから、使用した分の長さが差し引かれ、残りの長さが求められる。これによれば、端子圧着装置２において、夫々の電線ドラム３６に巻かれている残りの長さを一元的に管理することが可能になる。特に、本例では、算出された電線Ｌの残り長さが、所定量以下になった場合、報知制御手段７３によってその電線Ｌの種別を知らせるようになっている。このため、残量が少なくなったことを作業者に認識させることが可能になり、新たな電線ドラム３６を予め準備させることが可能になる。
【００６１】
一方、電線送り装置４には、端子圧着装置２の送受信制御手段７１と通信を行う送受信制御手段７７と、送りローラ６３を回転させるモータ７９（ステッピングモータ）を駆動し電線Ｌの繰出しを制御する電線送り制御手段７８と、第二切断刃５３を駆動して電線Ｌを切断する切断制御手段５４とが備えられている。
【００６２】
ところで、電線ドラム３６を交換する際には、第二切断刃５３によって電線Ｌを切断することとなるが、端子圧着装置２において一連の処理が終わってから、すなわち所定長さの電線Ｌが生成された後に電線Ｌを切断するものでは、端子圧着装置２と電線供給装置３との間に繰出された電線Ｌが端尺として残ってしまい、材料に無駄が生じてしまう。特に、多品種少量生産の場合には、端尺の電線Ｌが数多く発生することから、材料費が大幅に増加することが懸念される。
【００６３】
そこで、本例の電線送り装置４では、端子圧着装置２において生成される電線Ｌの必要長さを認識する必要長認識手段９３と、送りローラ６３を経て第二切断刃５３を通過した電線Ｌの長さを測長する繰出長さ測長手段９４とを備え、切断制御手段５４は、繰出長さ測長手段９４によって測長された電線Ｌの長さが、必要長認識手段９３によって認識された電線Ｌの必要長さに一致した際に、第二切断刃５３を動作させて電線Ｌを切断するようにしている。このため、既に繰出されている電線Ｌが端子圧着装置２において残らず使用されることになり、端尺の電線Ｌが発生することを回避することができる。なお、電線Ｌの必要長さは、端子圧着装置２から送信された情報を送受信制御手段７７を介して受信することで認識され、第二切断刃５３を通過する電線Ｌの長さは、モータ７９におけるステップ数をカウントすることにより測長される。
【００６４】
また、第二切断刃５３から一定の距離には、電線Ｌの先端を検出する先端検出センサ６４が設けられており、繰出長さ測長手段９４によって測長される電線Ｌの長さが、先端検出センサ６４の出力に基づいて補正されるようになっている。具体的には、電線Ｌの先端が検出された後に測長される電線Ｌの長さから、第二切断刃５３から先端検出センサ６４までの距離を差引くことにより、第二切断刃５３を通過する電線Ｌの長さを認識している。これによれば、夫々のカセット部３０から突出する電線Ｌの長さにバラツキがあっても、先端検出センサ６４を利用して電線の初期長さを補正することが可能になり、正確な長さの電線Ｌを生成することができる。
【００６５】
また、電線送り制御手段７８は、送り機構本体６０の送りローラ６３を、端子圧着装置２におけるローラ１５９の動作状態に拘らず、一定速度で回転させ、必要長さの電線Ｌが繰出されるまで電線ドラム３６から電線Ｌを連続的に繰出させるようにしている。つまり、例えば端子圧着装置２において電線Ｌの端部の被覆材を除去する際等、電線Ｌを逆方向に送る場合、あるいは電線Ｌの端部に端子を圧着する際等、電線Ｌの送込みを一端中断した状態で端末処理加工を実行する場合でも、電線送り装置４の送りローラ６３を一定方向に定速で回転させることにより、電線ドラム３６から電線Ｌを連続的に繰出させる。
【００６６】
なお、電線送り装置４には、案内方向切替制御手段９７が備えられており、電線ドラム３６から繰出された電線Ｌの先端が端子圧着装置２のローラ１５９に送られると、回動駆動源９８を駆動し、下側案内部材８９を直線案内位置から可撓案内位置に変位させる。これにより、送りローラ６３と端子圧着装置２との間において繰出された電線Ｌを余剰させることが可能になる。換言すれば、端子圧着装置２のローラ１５９が停止中または逆回転している場合であっても、電線送り装置４の送りローラ６３によって電線Ｌを継続して繰出させることが可能になり、必要な長さの電線Ｌを速やかに繰出させることが可能になる。
【００６７】
このように、本例の電線処理システム１によれば、電線供給装置３には、駆動機構１１が設けられており、この駆動機構１１を動作させることにより、複数の電線ドラム３６の中から選択された一つの電線ドラム３６を所定の取出位置まで移動させることが可能になる。また、取出位置に対向するように電線送り装置４が設けられており、電線送り装置４は、取出位置の電線ドラム３６から電線Ｌを引張って繰出させるとともに、その電線Ｌの先端部分を端子圧着装置２に受渡すことが可能になる。つまり、選択された一つの電線ドラム３６を所定の取出位置に移動させる動作、及びその電線ドラム３６から延出された電線Ｌを端子圧着装置２に受渡す動作、を機械的に行うため、一連の作業を自動化することができ、作業者の負担を軽減するとともに、加工すべき電線Ｌを間違いなく且つ速やかに供給することが可能となる。
【００６８】
また、本例の電線処理システム１によれば、電線送り装置４には、取出位置に対向して配置された第二切断刃５３が備えられており、端子圧着装置２から送信される情報に基づいて動作するようになっている。このため、端子圧着装置２で使用される電線Ｌを交換する際、繰出された電線Ｌを根元側で切断することができ、電線Ｌを電線ドラム３６に巻き戻す等の処理が不要となる。すなわち、電線供給装置３における構成を簡素化することが可能になる。
【００６９】
また、本例の電線処理システム１によれば、供給装置本体１６には複数の受箱部１５が設けられているため、供給装置本体１６から互いに異なる種類の電線を随時供給することが可能になる。特に、カセット式であるため、供給装置本体１６に電線ドラム３６を装着する作業が極めて容易になる。また、決められた位置から一定の方向に電線Ｌが繰出されるため、電線送り装置４によって電線Ｌを確実に把持することができ、円滑な受渡しが可能になる。さらに、電線ドラム３６を交換する際には、受箱部１５からカセット部３０を取出し、そのケース部３３内に収容された電線ドラム３６を交換することとなるため、安全な場所での交換作業が可能になるとともに、電線ドラム３６の交換作業中であっても、他の電線ドラム３６が収容された受箱部１５から電線Ｌを供給し続けることが可能になる。また、複数のカセット部３０を規則正しく配列することができ、しかも比較的簡易な構造で支持できるため、狭いスペースでも数多くの電線ドラム３６を保持することが可能となり、ひいては端子圧着装置２の小型化が可能になる。
【００７０】
また、本例の電線処理システム１によれば、電線ドラム３６から突出した電線Ｌが一対の送りローラ６３の間に挟持され、一対の送りローラ６３を互いに反対方向に回転させることにより、電線Ｌが電線ドラム３６から繰出され、繰出された電線Ｌは、ガイドユニット６１を通過することにより、端子圧着装置２に向って案内される。このため、比較的簡単な構成で電線Ｌの先端を端子圧着装置２に受け渡すことが可能になる。特に、電線送り装置４では、端子圧着装置２において生成される電線Ｌの必要長さを認識するとともに、第二切断刃５３を通過する電線Ｌの長さを測長し、測長された電線Ｌの長さが、認識している電線Ｌの必要長さに一致した際に、第二切断刃５３を動作させて電線Ｌを切断する。このため、既に繰出されている電線Ｌが端子圧着装置２において残らず使用されることになり、端尺の電線Ｌが発生することを回避することが可能になる。
【００７１】
また、本例の電線処理システム１によれば、端子圧着装置２にローラ１５９が備えられているが、電線送り装置４における送りローラ６３は、端子圧着装置２におけるローラ１５９の動作状態に拘らず電線ドラム３６から電線Ｌを繰出させるため、例えば端子圧着装置２において電線Ｌの端部の被覆材を除去する際等、電線Ｌを逆方向に送る場合、あるいは電線Ｌの端部に端子を圧着する際等、電線Ｌの送込みを一端中断した状態で端末処理加工を実行する場合でも、電線送り装置４の送りローラ６３を一定方向に回転させることにより、電線ドラム３６から電線Ｌを連続的に繰出させる。したがって、端子圧着装置２において電線Ｌの加工が終了する時よりも早く必要長さの電線Ｌを繰出すことが可能になり、さらには端子圧着装置２において電線を加工している最中でも、電線供給装置３においては次に加工する電線を繰出すための準備、具体的には選択された電線ドラム３６を所定の取出位置に移動させる動作を行わせることができる。そして、この場合には、段取り時間が大幅に削減され、端子圧着装置２における稼働率を一層高めることが可能になる。特に、電線ドラム３６から繰出された電線Ｌの先端が端子圧着装置２のローラ１５９に送られると、回動駆動源９８が駆動され、下側案内部材８９は直線案内位置から可撓案内位置に変位し、送りローラ６３から繰出される電線Ｌを、送りローラ６３と端子圧着装置２との間で撓ませることが可能になる。このため、端子圧着装置２のローラ１５９が停止中または逆回転している場合であっても、電線送り装置４の送りローラ６３によって電線Ｌを継続して繰出させることが可能になり、必要な長さの電線Ｌを速やかに繰出させることが可能になる。
【００７２】
また、本例の電線処理システム１によれば、ケース部３３内に設けられた癖取り部４２によって電線Ｌのねじり癖や曲がり癖が矯正されるため、略直線形状の電線Ｌを電線ガイド部４３に案内することができ、ひいては、ケース部３３から突出する電線の延出方向に直進性を持たせることができる。したがって、電線Ｌの受渡しを一層確実なものとすることができる。
【００７３】
また、本例の電線処理システム１によれば、電線ドラム３６の回転を制動する制動部材３９が設けられているため、受箱部１５の移動等に起因する電線ドラム３６の回動による不具合、すなわち電線Ｌが自然に繰出されたり、ケース部３３内で電線Ｌが撓んだり、電線ガイド部４３から電線Ｌが抜けたりするという不具合を解消することができる。しかも、取出位置のカセット部３０に対して制動解除機構４０が作動するため、回転負荷を大きくすることなく、電線ドラム３６を回転させることが可能になり、比較的小さな引張り力でも電線Ｌを容易に繰出させることが可能になる。特に、電線Ｌの引張り力を利用して制動状態を解除することから、制動及び解除操作においても自動化が可能である。
【００７４】
さらに、本例の電線処理システム１によれば、挿入口２３から受箱部１５内に挿入したカセット部３０を、係止部材２４によって係止するため、受箱部１５からカセット部３０が脱離することを防止でき、安定した状態で可動させることができる。
【００７５】
以上、本発明を実施するための最良の形態を挙げて説明したが、本発明はこの実施の形態に限定されるものではなく、以下に示すように本発明の趣旨を逸脱しない範囲において、種々の改良および設計の変更が可能である。
【００７６】
すなわち、上記実施形態の電線処理システム１では、第二切断刃５３を電線送り装置４に設けたものを示したが、電線供給装置３に備えるようにしてもよい。
【００７７】
また、上記実施形態の電線処理システム１では、送りローラ６３と端子圧着装置２との間で電線Ｌを撓ませるために、下側案内部材８９を回動させるものを示したが、具体的な構成は特に限定されるものではなく、例えば、下側案内部材８９を伸縮可能に構成し、下側案内部材８９を短くさせることにより、下側案内部材８９と送りローラ６３との間で電線Ｌを撓ませるようにしてもよい。
【００７８】
また、上記実施形態の電線処理システム１では、複数の受箱部１５を旋回させる駆動機構１１を、複数のスプロケット１２と、それらに巻かれた無端のチェーン１３とから構成するものを示したが、ベース板１０に対して複数の受箱部１５を固定状態で取付け、ベース板１０ごと回転させるようにしてもよい。但し、本例のようにチェーン１３を用いて構成すれば、ベース板１０は回転しないことから、複数の受箱部１５を略長方形のループに沿って配置するとともに、ベース板を長方形とすることが可能となり、円盤状のベース板を回転させるもの（すなわち外観が円筒状であるもの）に比べて、設置スペースを効率的に利用することが可能になる。
【００７９】
さらに、上記実施形態の電線処理システム１では、電線が繰出される側を挿入口２３とするものを示したが、反対側の側面に挿入口２３を形成するようにしてもよい。ただし、本例のように、複数の受箱部１５を放射状に配置する場合には、受箱部１５の背面側にチェーン１３が配設されることから、電線の繰出し側を挿入口２３とする方が好適である。
【図面の簡単な説明】
【００８０】
【図１】本実施形態の電線処理システムの概略構成を示す模式図である。
【図２】電線処理システムにおける電線供給装置の構成を示す平面図である。
【図３】電線供給装置における受箱部の構成を示す斜視図である。
【図４】受箱部とカセット式電線繰出し部との構成を示す分解斜視図である。
【図５】カセット式電線繰出し部の構成を示す平面図である。
【図６】電線送り装置におけるガイド部材の構成を模式的に示す模式図である。
【図７】電線供給制御に関する機能的構成を示すブロック図である。
【図８】従来の端子圧着装置の構成を示す斜視図である。
【符号の説明】
【００８１】
１  電線処理システム
２  端子圧着装置（端末処理装置）
３  電線供給装置
４  電線送り装置
１１  駆動機構（ドラム移動手段）
１５  受箱部
１６  供給装置本体
２３  挿入口
３０  カセット式電線繰出し部
３３  ケース部
３６  電線ドラム
３８  ドラム支持部
５３  第二切断刃
５４  切断制御手段
６３  送りローラ
８９  下側案内部材（ガイド部材）
９０  軸支部材
９３  必要長認識手段
９４  繰出長さ測長手段
９７  案内方向切替制御手段
９８  回動駆動源（方向切替駆動源）
１５９  ローラ（第二送りローラ）
Ｌ  電線
【図１】
2008027682.tif 000003
【図２】
2008027682.tif 000004
【図３】
2008027682.tif 000005
【図４】
2008027682.tif 000006
【図５】
2008027682.tif 000007
【図６】
2008027682.tif 000008
【図７】
2008027682.tif 000009
【図８】
2008027682.tif 000010